(57)【要約】【課題】  有機ＥＬパネル検査装置の電源として商用交流電源を用いて電池を不要とし、また、負電圧を所定のシーケンスで印加するためのプログラム制御を不要とする。【解決手段】  有機ＥＬパネル検査用電源回路１は、有機ＥＬパネル検査において、有機ＥＬパネルの有機ＥＬ素子に正電圧及び負電圧を印加する電源回路であり、有機ＥＬ素子に正電圧を印加する正電圧電源２と、有機ＥＬ素子に負電圧を印加する負電圧電源３とを備え、正電圧電源２は商用交流電源を整流して構成し、負電圧電源３はコンデンサ４を介して正電圧電源２と接続した定電流回路により構成する。【選択図】図１
2006317277.tif 000002
【特許請求の範囲】
【請求項１】
有機ＥＬパネル検査において、有機ＥＬパネルの有機ＥＬ素子に正電圧及び負電圧を印加する電源回路であり、
前記電源回路は、
有機ＥＬ素子に正電圧を印加する正電圧電源と、
有機ＥＬ素子に負電圧を印加する負電圧電源とを備え、
前記正電圧電源は商用交流電源を整流して構成し、
前記負電圧電源はコンデンサを介して前記正電圧電源と接続した定電流回路により構成することを特徴とする、有機ＥＬパネル検査用電源回路。
【請求項２】
有機ＥＬパネルの各ピクセルが備える有機ＥＬ素子に正電圧及び負電圧を印加し、当該有機ＥＬ素子に流れる電流を検出して当該有機ＥＬを検査する有機ＥＬパネル検査装置において、
前記有機ＥＬ素子に正電圧及び負電圧を印加する電源回路を有し、
前記電源回路は、
有機ＥＬ素子に正電圧を印加する正電圧電源と、
有機ＥＬ素子に負電圧を印加する負電圧電源とを備え、
前記正電圧電源は商用交流電源を整流して構成し、
前記負電圧電源はコンデンサを介して前記正電圧電源と接続した定電流回路により構成することを特徴とする、有機ＥＬパネル検査装置。
【発明の詳細な説明】
【技術分野】
【０００１】
本発明は、有機ＥＬパネルの検査に関し、有機ＥＬパネルを検査するために有機ＥＬパネルに印加する電圧を形成する電源回路、及びこの電源回路を備える有機ＥＬパネル検査装置に関する。
【背景技術】
【０００２】
有機ＥＬパネルは、複数本の走査線と信号線をマトリックス状に配列し、各線の交差部にピクセルを配置している。各ピクセルは、走査線及び信号線によりスイッチ動作するスイッチ回路と、電源ラインから一定の所定電圧の印加を受けて定電流を供給する定電流回路と、定電流回路に接続される有機ＥＬ画素とを備え、スイッチ回路で選択されたピクセルの有機ＥＬ画素は定電流回路からの電流供給によって発光する。
【０００３】
このような有機ＥＬパネルを評価するために、検査信号により有機ＥＬパネルを駆動し、このときに有機パネルの各ピクセルに流れる電流を測定することで有機ＥＬパネルを検査する有機ＥＬパネル検査装置が提案されている（例えば、特許文献１）。
【０００４】
図５は、有機ＥＬパネル検査において、各ピクセルの有機ＥＬ素子を検査する際の構成を説明するための概略図である。図５に示す構成例はアクティブマトリクス方式の一例であり、有機ＥＬパネル１０は複数本のスキャン信号ライン及び検査信号ラインをマトリックス状に配線し、これらの交差点に一つのピクセル１１を接続する。
【０００５】
ピクセル１１は、有機ＥＬ素子１１ａ，有機ＥＬ電極１１ｂ，ＴＦＴ１１ｃ，１１ｄを備える。ＴＦＴ１１ｄは切り換えスイッチ手段を構成し、ソースには出力用電圧ラインが接続されドレインには有機ＥＬ電極１１ｂが接続される。有機ＥＬ素子１１ａには、アノードを有機ＥＬ電極１１ｂの他端が接続され、カソードには有機ＥＬ素子カソード電圧ラインが接続され、出力用電圧ラインから印加された電圧によって、有機ＥＬ電極１１ｂを介して駆動電流が供給される。
【０００６】
有機ＥＬ電極１１ｂに流れる電流は、ＴＦＴ１１ｄのゲートに印加される電圧によって制御される。このＴＦＴ１１ｄはＴＦＴ１１ｃによって制御される。ＴＦＴ１１ｃのゲートにはスキャン信号ラインが接続され、ＴＦＴ１１ｃのカソードには検査信号ラインが接続され、スキャン信号ラインと検査信号ラインの組み合わせによってピクセルの選択が行われ、検査信号ラインの駆動信号によって駆動電流の制御が行われる。
【０００７】
測定回路３０は、有機ＥＬ電極１１ｂに流れる電流を測定することによって有機ＥＬ素子の欠陥等の検査を行う。
【０００８】
図６は有機ＥＬパネルの検査動作時の信号状態の一例であり、図７はフローチャートである。通常、電源の駆動はクロック信号に基づいて行われ、検査信号を生成する検査信号生成回路はドライブ電源によって駆動される。
【０００９】
図６に示す信号状態では、丸付き数字により各動作の順序を表している。また、図６（ｂ），（ｃ），（ｄ）はコマンドを示し、図６（ｅ），（ｆ），（ｇ）は動作状態を示している。なお、ここでは、電源のオン動作について説明する。
【００１０】
クロック信号が出力されている状態において（図６（ａ））、ドライブ電源をオン状態とするコマンドが出力される(S11)とソフトウエア上でオン処理が行われ(S12)（図６（ｂ）の１）、ドライブ電源リレーが作動してドライブ電源は検査信号生成回路に電圧の印加を開始する(S13)（図６（ｅ））の２）。
【００１１】
この後、有機ＥＬ回路電源をオン状態とするコマンドが出力される（S14）とソフトウエア上でオン処理が行われ(S15)（図６（ｃ）の３）、有機ＥＬ回路電源リレーが作動して有機ＥＬ回路電源は有機ＥＬ回路に電圧印加を開始し、出力用電源ライン、検査信号ライン、スキャン信号ラインに電圧を印加する(S16)（図６（ｆ）の４）。
【００１２】
その後、有機ＥＬ素子カソード電源をオン状態とするコマンドによって(S17,18)（図６（ｄ）の５）有機ＥＬパネルのピクセルに駆動電流が流れる(S19)（図６（ｇ）の６）。
従来、有機ＥＬパネル検査装置に用いる電源は、商用交流電源を用いた場合に生じるリップルノイズによる検査への影響を防ぐために、電池が用いられている。
【００１３】
図８は、電池を用いた場合の有機ＥＬ回路電源の出力電圧を示している。有機ＥＬ回路電源では、出力用電圧ライン、検査信号ライン、スキャン信号ライン等に印加する正電圧と、有機ＥＬ素子カソード電圧ラインに印加する負電圧を生成している。
【００１４】
正電圧と負電圧は、前記図６（ｆ），（ｇ）で示したように、電圧投入シーケンスに従って生成され、負電圧（図８中の破線で示す）は正電圧（図８中の実線で示す）よりも遅れて生成させる。このとき、負電圧は、電池の電源安定と電源パネル保護のために過電流保護が行われる。この過電流保護では、大きな電圧変化が生じないように段階的波形としている。この階段状波形では、例えば、印加する負電圧を所定ステップ、所定電圧幅で変化させるためにＤ／Ａ変換が行われる。
【特許文献１】特開２００２−４００７４号公報
【発明の開示】
【発明が解決しようとする課題】
【００１５】
上記したように、有機ＥＬパネル検査装置の電源として電池を用いた場合には、電池の寿命や消耗による電圧降下や充電を考慮する必要がある他、電池重量によって装置全体が重くなるという問題がある。また、負電圧を所定のシーケンスに従って印加するためにプログラム制御が必要となり、また、プログラム制御で設定された各ステップでの負電圧値を実際の電圧に変換するためのＤ／Ａ変換手段が必要となるという問題がある。
【００１６】
そこで、本発明は上記課題を解決し、有機ＥＬパネル検査装置の電源として商用交流電源を用い、電池を不要とすることを目的とする。
【００１７】
また、負電圧を所定のシーケンスで印加するためのプログラム制御を不要とすることを目的とする。
【課題を解決するための手段】
【００１８】
本発明の有機ＥＬパネル検査用電源回路は、有機ＥＬパネル検査において、有機ＥＬパネルの有機ＥＬ素子に正電圧及び負電圧を印加する電源回路であり、上記目的を解決するために、有機ＥＬ素子に正電圧を印加する正電圧電源と、有機ＥＬ素子に負電圧を印加する負電圧電源とを備える。正電圧電源は商用交流電源を整流して構成し、負電圧電源はコンデンサを介して前記正電圧電源と接続した定電流回路により構成する。
【００１９】
商用交流電源を用いることで電池を不要とすることができ、電池を電源とすることによる重量化、電池寿命や電圧降下や充電等の問題を解消することができる。
【００２０】
また、コンデンサを介して正電圧電源と接続した定電流回路によって負電圧電源を構成することによって、負電圧を印加するためのプログラム制御によるシーケンス処理が不要とすることができ、また、Ｄ／Ａ変換手段を不要とすることができる。
【００２１】
負電圧電源が備えるコンデンサは電圧を安定させる他に、時定数回路を構成することで、プログラム制御によるシーケンス処理を要することなく、正電圧を印加した後、所定の時定数に従って負電圧を生成することができる。また、コンデンサは、過電流による有機ＥＬパネルの損傷を保護し、ノイズ分を除去するノイズフィルタとして効果を奏することができる。
【００２２】
また、本発明の有機ＥＬパネル検査装置は、有機ＥＬパネルの各ピクセルが備える有機ＥＬ素子に正電圧及び負電圧を印加し、この有機ＥＬ素子に流れる電流を検出して有機ＥＬを検査する有機ＥＬパネル検査装置であり、有機ＥＬ素子に正電圧及び負電圧を印加する電源回路は、前記した有機ＥＬパネル検査用電源回路の構成とする。
【発明の効果】
【００２３】
本発明の有機ＥＬパネル検査用電源回路及び有機ＥＬパネル検査装置によれば、有機ＥＬパネル検査装置の電源として商用交流電源を用い、電池を不要とすることができる。
【００２４】
また、負電圧を所定のシーケンスで印加するためのプログラム制御を不要とすることができる。
【発明を実施するための最良の形態】
【００２５】
以下、本発明の実施の形態について図を参照しながら詳細に説明する。
【００２６】
本発明の有機ＥＬパネル検査用電源回路及び有機ＥＬパネル検査装置の概略構成について図１を用いて説明する。
【００２７】
図１において、有機ＥＬパネル検査装置２０は、有機ＥＬパネル検査用電源回路１によって有機ＥＬパネル１０に所定電圧を印加すると共に、検査出力生成回路２１から検査信号を印加し、そのときに有機ＥＬパネルの有機ＥＬ素子に流れる電流を測定することによってパネル検査を行う。図１では、有機ＥＬパネル１０からの電流はアンプ２２を通して図示しない測定回路に送られてパネル検査が行われる。
【００２８】
本発明の有機ＥＬパネル検査用電源回路１は、正電圧電源２と負電圧電源３を備える。正電圧電源２は、商用交流電源（図示していない）を整流することで構成することができる。また、負電圧電源３は、正電圧電源２とコンデンサ４を介して接続された定電流回路によって構成される。負電圧電源３の定電流回路は、正電圧電源２から供給される電圧を用いて負電圧を生成する。
【００２９】
図２は、正電圧電源と負電圧電源の各電圧変化の一例を示している。図２において、有機ＥＬパネル検査用電源回路がオン状態となると、正電圧電源と負電圧電源の両電圧が立ち上がりはじめる。ここで、負電圧電源の定電流回路は、正電圧電源からの電圧をコンデンサを介して受け、０Ｖから所定電圧までの電圧を生成する。そのとき、負電圧はコンデンサと内部抵抗等の抵抗分で定まる時定数に従って立ち上がる。図２中の破線は負電圧電源の電圧変化を示している。この時定数に従って変化する電圧形成は、前記図８に示した負電圧と相違して、プログラム制御によるシーケンス処理が不要であり、回路自体が持つ特性により自動で行うことができる。
【００３０】
また、ノイズの発生要因となる階段状波形を含まず、仮に正電圧電源にノイズ分が含まれていたとしてもコンデンサによって除去される。
【００３１】
図３は本発明の有機ＥＬパネル検査用電源回路の検査動作時の信号状態の一例であり、図４はフローチャートである。
【００３２】
この例においても、前記図６，７で示したと同様に、電源の駆動はクロック信号に基づいて行われ、検査信号を生成する検査信号生成回路はドライブ電源によって駆動されるものとする。
【００３３】
図３に示す信号状態では、丸付き数字により各動作の順序を表している。また、図３（ｂ），（ｃ），（ｄ）はコマンドを示し、図３（ｅ），（ｆ），（ｇ）は動作状態を示している。なお、ここでは、電源のオン動作について説明する。
【００３４】
クロック信号が出力されている状態において（図３（ａ））、ドライブ電源をオン状態とするコマンドが出力される(S1)とソフトウエア上でオン処理が行われ(S2)（図３（ｂ）の１）、ドライブ電源リレーが作動してドライブ電源は検査信号生成回路に電圧の印加を開始する(S3)（図３（ｄ））の２）。
【００３５】
この後、有機ＥＬ回路電源をオン状態とするコマンドが出力される（S4）とソフトウエア上でオン処理が行われ(S5)（図３（ｃ）の３）、有機ＥＬ回路電源リレーが作動して有機ＥＬ回路電源は有機ＥＬ回路に電圧印加を開始し、出力用電源ライン、検査信号ライン、スキャン信号ラインに正電圧を印加する(S6)（図３（ｅ）の４）。
【００３６】
また、有機ＥＬ回路の定電流回路は、コンデンサを介して得た正電圧によって負電圧の生成を開始し、所定の時定数で負電圧が生成される(S7)（図３（ｆ）の５）。
【００３７】
生成された負電圧は有機ＥＬパネルの有機ＥＬ素子のカソードに印加され、有機ＥＬパネルのピクセルに駆動電流が流れる。
【００３８】
なお、電源投入時において、負電圧の立ち上がり時間が時定数で定まる遷移時間よりも長い場合には、別途接続したリレーによって正電圧電源と定電流回路との接続を制御し、正電圧が立ち上がった後、所定時間が経過してから定電流回路との接続を開始するように構成してもよい。
【図面の簡単な説明】
【００３９】
【図１】本発明の有機ＥＬパネル検査用電源回路及び有機ＥＬパネル検査装置の概略構成を説明するための図である。
【図２】本発明の有機ＥＬパネル検査用電源回路の正電圧電源と負電圧電源の各電圧変化の一例を示す図である。
【図３】本発明の有機ＥＬパネル検査用電源回路の検査動作時の信号状態の一例を示す図である。
【図４】本発明の有機ＥＬパネル検査用電源回路の検査動作時のフローチャートである。
【図５】有機ＥＬパネル検査において、各ピクセルの有機ＥＬ素子を検査する際の構成を説明するための概略図である。
【図６】有機ＥＬパネル検査用電源回路の検査動作時の信号状態の一例を示す図である。
【図７】有機ＥＬパネル検査用電源回路の検査動作時のフローチャートである。
【図８】電池を用いた場合の有機ＥＬ回路電源の出力電圧を示す図である。
【符号の説明】
【００４０】
１…有機ＥＬパネル検査電源回路、２…有機ＥＬパネル検査装置、３…負電圧電源、４…コンデンサ、１０…有機ＥＬパネル、１１…ピクセル、１１ａ…有機ＥＬ素子、１１ｂ…有機ＥＬ電極、１１ｃ…，１１ｄ…ＴＦＴ、２１…検査信号生成回路、２２…オペアンプ、３０…測定回路。
【図１】
2006317277.tif 000003
【図２】
2006317277.tif 000004
【図３】
2006317277.tif 000005
【図４】
2006317277.tif 000006
【図５】
2006317277.tif 000007
【図６】
2006317277.tif 000008
【図７】
2006317277.tif 000009
【図８】
2006317277.tif 000010